(57)【特許請求の範囲】
【請求項１】
一対の縦フレーム間に奥行き方向に奥行きフレームが連結されて額縁状に形成された複数の枠フレームを横フレームで連結してなるフレーム体の骨組みを有するキッチンキャビネットにおいて、
前記枠フレームを構成する底側の前記奥行きフレームの下に、下面にけこみ板を一体に垂設してなる底板を固定したことを特徴とするキッチンキャビネットの底板固定構造。
【請求項２】
前記キッチンキャビネットは、前記フレーム体の骨組みを有するキャビネット本体の上面にカウンターが設けられ、該カウンターにはシンクとコンロが配置され、キャビネット本体の側面には側板が設けられ、キャビネット本体の底側には前記けこみ板が設けられて構成されてなり、
前記奥行きフレームには、該奥行きフレームの横幅寸法内に前記底板固定用のビスを打つことのできる側面鍔片が一体形成されているとともに、該側面鍔片を覆蓋するカバーを着脱できる落とし込み溝が形成されてなることを特徴とする請求項１に記載のキッチンキャビネットの底板固定構造。
【発明の詳細な説明】
【技術分野】
【０００１】
本発明は、キッチンキャビネットにおける底板の固定構造に関するものである。
【背景技術】
【０００２】
従来、特許文献１に開示されているような、フレームを枠組みしたフレーム体の骨組みを有するキッチンキャビネットが存在する。
【先行技術文献】
【特許文献】
【０００３】
【特許文献１】特開２０１０−１１９３１号公報
【発明の概要】
【発明が解決しようとする課題】
【０００４】
上記特許文献１に開示されているようなキッチンキャビネットでは、骨組みであるフレーム体は耐久性があるが、底板等の木製部分は汚れたり損傷したりするため、リフォーム時等にフレーム体を残して木製の底板等を交換し、再利用したい要請があるが、底板等の木製部分の交換作業は行いにくいものであった。
【課題を解決するための手段】
【０００５】
本発明は、底板の交換が容易にでき、しかも、すっきりとした底板の固定状態が得られるキッチンキャビネットの底板固定構造の提供を目的とし、この目的の少なくとも一部を達成するために以下の手段を採った。
本発明は、一対の縦フレーム間に奥行き方向に奥行きフレームが連結されて額縁状に形成された複数の枠フレームを横フレームで連結してなるフレーム体の骨組みを有するキッチンキャビネットにおいて、
前記枠フレームを構成する底側の前記奥行きフレームの下に、下面にけこみ板を一体に垂設してなる底板を固定したことを要旨とする。
【発明の効果】
【０００６】
本発明では、骨組みとなるフレーム体の額縁状に形成された枠フレームの底側の奥行きフレームの下に、下面にけこみ板を一体に垂設してなる底板を固定したものであるため、リフォーム時等に、フレーム体はそのまま残し、奥行きフレームから、けこみ板が垂設された底板を取り外して、けこみ板と底板を容易に交換することができるものとなる。
【０００７】
また、本発明のキッチンキャビネットの底板固定構造において、前記キッチンキャビネットは、前記フレーム体の骨組みを有するキャビネット本体の上面にカウンターが設けられ、該カウンターにはシンクとコンロが配置され、キャビネット本体の側面には側板が設けられ、キャビネット本体の底側には前記けこみ板が設けられて構成されてなり、
前記奥行きフレームには、該奥行きフレームの横幅寸法内に前記底板固定用のビスを打つことのできる側面鍔片が一体形成されているとともに、該側面鍔片を覆蓋するカバーを着脱できる落とし込み溝が形成されてなる構造とすることもできる。
こうすれば、落とし込み溝にカバーを着脱でき、カバーによりビスや側面鍔片が隠され、見栄えが良好なものとなり、また、カバーを外してビスを緩め、容易にけこみ板と底板を取り外して交換できるものとなる。
【図面の簡単な説明】
【０００８】
【図１】キッチンキャビネットの斜視構成図である。
【図２】キッチンキャビネットの骨組みを構成するフレーム体の斜視構成図である。
【図３】フレーム体の要部拡大斜視図である。
【図４】底板とけこみ板の部分の斜視構成図である。
【図５】図４の裏側から視た斜視構成図である。
【図６】フレーム体の底側の奥行きフレームの断面拡大図である。
【図７】奥行きフレームの底側にビスにより底板を取り付けた状態の要部断面拡大図である。
【図８】別の実施例の奥行きフレームとカバーの拡大斜視構成図である。
【図９】図８の奥行きフレームの下にビスを介して底板を取り付けた状態の拡大縦断面構成図である。
【図１０】更に奥行きフレームにカバーを被せた状態の縦断面拡大構成図である。
【発明を実施するための形態】
【０００９】
次に、本発明を実施するための形態を実施例を用いて説明する。
図１は、キッチンキャビネットの斜視構成図であり、キッチンキャビネット１は、キャビネット本体２の上面にカウンター３が設けられ、カウンター３にはシンク４とコンロ５が配置されており、シンク４には水栓６が立設されている。
また、キャビネット本体２の側面には側板２ａが設けられ、キャビネット本体２の底側にはけこみ板９が設けられており、キャビネット本体２の前面には、左右側に扉７，７と、中央部に引出し８が設けられている。
【００１０】
このキッチンキャビネット１は、図２に示すフレーム体で骨組みが構成されている。
フレーム体１１は、額縁状に枠組みされた４つの枠フレーム１１Ａ，１１Ｂ，１１Ｃ，１１Ｄが間隔をおいて横フレーム１２，１２，１２で連結されて構成されており、各枠フレーム１１Ａ，１１Ｂ，１１Ｃ，１１Ｄは、それぞれ一対の縦フレーム１３，１３間に奥行き方向に奥行きフレーム１４，１４が連結されて、額縁状に形成されたものである。
【００１１】
図３の要部拡大斜視図で示すように、中央部の枠フレーム１１Ｂ，１１Ｃを構成する底側の奥行きフレーム１４の下に、底板１０が固定されるものであり、この底板１０は木製であり、汚れ等が付着するため、リフォーム時に、この底板１０を交換できるように構成されている。
【００１２】
なお、底板１０とけこみ板９は、図４の斜視図で、また図５の裏面側から視た斜視図で示すように組み付けられるものである。
底板１０の前端縁より奥まった位置にけこみ板９が垂設されており、このけこみ板９から奥行き方向に延びる補強板１５，１５，１５，１５が間隔をおいて４枚（底板１０の左右両端側と中央部に２枚の合計４枚）配置されており、この４枚の補強板１５とけこみ板９上に底板１０が載せられる。
底板１０とけこみ板９は、例えば断面Ｌ字状のＬ金具で前側から連結することができるものである。また、けこみ板９と各補強板１５，１５，１５，１５はダボ９ａ，９ａ，９ａを介して連結することができるものである。
【００１３】
なお、図６には、例えば枠フレーム１１Ｂの底側の奥行きフレーム１４の断面図を示す。
奥行きフレーム１４は、水平な底片１４ａから左右側の側片１４ｂ，１４ｂが一体状に立ち上がり、左右側の側片１４ｂ，１４ｂの上端に水平な上片１４ｃが一体化されており、この上片１４ｃの下面にビスホール１４ｅ，１４ｆが一体形成されたものとなっており、さらに底片１４ａから連続して左右側へ突出した鍔片１４ｄ，１４ｄが一体形成されたものとなっている。
【００１４】
この奥行きフレーム１４は、アルミニウムの押出し成形品であり、例えば図示右側の鍔片１４ｄの前端側および後端側にビスを通すビス孔を設けておき、このビス孔内に図７のようにビス１６を通して、ビス１６を底板１０にねじ込むことで、ビス１６を介して奥行きフレーム１４の下側に底板１０を取り付け固定できるものである。
【００１５】
なお、ビス１６は頭部１６ａのドライバー溝１６ｂ内にドライバーを差し込んで締め付けてゆくことができるものであり、電動ドライバー等を用いて作業を行うことができる。
リフォーム時等には、このビス１６を緩めることにより、底板１０を奥行きフレーム１４から容易に取り外すことができ、底板１０を取り外した状態で前方側へ引き抜き、新たな底板１０と交換することができ、リフォーム時にはフレーム体１１はそのまま残して、底板１０を容易に交換することができるものとなる。
【００１６】
なお、奥行きフレーム１４のビスホール１１ｅ，１１ｆは、２本のビスで縦フレーム１３を奥行きフレーム１４に連結するためのものであり、このビスホール１４ｅ，１４ｆ内にそれぞれ縦フレーム１３側からビスが水平にねじ込まれて、ビスホール１４ｅ，１４ｆにビスでネジが切られて締め付けられるものである。
なお、奥行きフレーム１４の左右方向の横幅寸法ａは、図６に示すように、例えば３０ｍｍに設定されており、この３０ｍｍの寸法は、縦フレーム１３の横幅寸法と同一である。
【００１７】
次に、図８は、奥行きフレーム１４の変更例を示すものであり、枠フレーム１１Ｂ，１１Ｃの底側の奥行きフレーム１４を、図９に拡大断面図で示すような断面形状にしたものである。
図８および図９に示す奥行きフレーム１４では、底片１４ａの左右側に一体で立ち上がる側片１４ｂ，１４ｂが形成され、側片１４ｂ，１４ｂの上端側が水平な上片１４ｃで連結されているが、側片１４ｂ，１４ｂ間の横幅寸法は狭いものとなっており、右側の側片１４ｂから下傾状に側面鍔片１４ｄが一体形成されたものとなっている。この側面鍔片１４ｄの右端から左側の側片１４ｂまでの横幅寸法が、図６に示す横幅寸法ａとほぼ同一の寸法となるように設定されている。
【００１８】
また、上片１４ｃから下向きにビスホール１４ｅが一体形成されているとともに、もう一方のビスホール１４ｆは右側の側片１４ｂの外側に一体形成されており、上片１４ｃとビスホール１４ｆ間には、上面が開放された落とし込み溝１４ｇが形成され、この落とし込み溝１４ｇは奥行き方向全域に亘り一体形成されたものである。
なお、図９に示す奥行きフレーム１４のビスホール１４ｅとビスホール１４ｆ間の横幅寸法は、図６に示すビスホール１４ｅとビスホール１４ｆ間の横幅寸法と同一に設定されている。
【００１９】
このような形状の奥行きフレーム１４では、側面鍔片１４ｄの前端側と後端側に２個のビス孔１４ｈ，１４ｈが形成されており、また、ビスホール１４ｆの上面側に前端および後端側の２個のピン孔１４ｊ，１４ｊが形成されている。
側面鍔片１４ｄのビス孔１４ｈ，１４ｈ内に、それぞれ図９のようにビス１６を通し、ビス１６のドライバー溝１６ｂに電動ドライバーを差し込んで、ビス１６を底板１０にねじ込んでゆき、奥行きフレーム１４の下側にビス１６，１６を介して底板１０を取り付け固定することができるものである。この場合、側面鍔片１４ｄは傾斜状であるため、奥行きフレーム１４の外側から斜め方向にして電動ドライバーをドライバー溝１６ｂに上方から差し込むことができ、電動ドライバーがビスホール１４ｆに当たることはなく、良好に電動ドライバーが使用できるように構成されている。
【００２０】
このようにして２個のビス１６，１６を底板１０に締め付けて、底板１０を奥行きフレーム１４の下に固定することができ、その後に、カバー１７を図１０のように奥行きフレーム１４の右側に被せて、カバー１７により側面鍔片１４ｄおよびビス１６を覆蓋して隠すことができ、すっきりとした見栄えの良好な底板１０の固定構造が得られるように設計されている。
【００２１】
このカバー１７は、上下方向に立ち上がる立片１７ａの上端に水平に水平片１７ｂが形成され、水平片１７ｂの先端に垂下状に係止片１７ｃが一体形成されたものであり、水平片１７ｂには、前端側および後端側にそれぞれ上下に貫通してピン孔１７ｄ，１７ｄが形成されている。
このカバー１７は、係止片１７ｃを奥行きフレーム１４の落とし込み溝１４ｇ内に落とし込んで容易に着脱できるように構成されており、ピン孔１７ｄ，１７ｄ内にステンレスのリベット或いはピンを落とし込み、ピンを奥行きフレーム１４のピン孔１４ｊ，１４ｊに通すことで、カバー１７を良好に奥行きフレーム１４に取り付けておくことができるものであり、リベット或いはピンをピン孔１４ｊおよび１７ｄから抜き取れば、容易にカバー１７を上方へ持ち上げて、奥行きフレーム１４から取り外すことができるものであり、リフォーム時等には、このカバー１７を取り外すとビス１６の頭部１６ａが露出するため、このビス１６を緩めて容易に底板１０を奥行きフレーム１４から外し、底板１０を前方側へ引き抜いて新たな底板１０と交換することができるものとなり、リフォーム時における底板１０の交換が容易なものとなる。
【００２２】
ビス１６はカバー１７で隠されるため見栄えが良好なものとなり、また、ドライバーを使用して締め付けた際にビス１６のドライバー溝１６ｂに、ささくれ等が形成されても、ビス１６はカバー１７で隠されるため、ささくれが引っ掛かることもなく、安全である。
図１０において、カバー１７を奥行きフレーム１４に取り付けた状態の横幅寸法ａは、図６の横幅寸法ａと同一となるように設定されている。
【符号の説明】
【００２３】
１  キッチンキャビネット
２  キャビネット本体
９  けこみ板
１０  底板
１１  フレーム体
１１Ａ，１１Ｂ，１１Ｃ，１１Ｄ  枠フレーム
１２  横フレーム
１３  縦フレーム
１４  奥行きフレーム
１４ｄ  鍔片（側面鍔片）
１４ｅ，１４ｆ  ビスホール
１４ｇ  落とし込み溝
１４ｈ  ビス孔
１４ｊ  ピン孔
１５  補強板
１６  ビス
１６ｂ  ドライバー溝
１７  カバー
１７ｄ  ピン孔
【図１】
0005557538.tif 000002
【図２】
0005557538.tif 000003
【図３】
0005557538.tif 000004
【図４】
0005557538.tif 000005
【図５】
0005557538.tif 000006
【図６】
0005557538.tif 000007
【図７】
0005557538.tif 000008
【図８】
0005557538.tif 000009
【図９】
0005557538.tif 000010
【図１０】
0005557538.tif 000011